(57)【特許請求の範囲】
【請求項１】
衣服の生地に取り付けられる環状の第一のハトメ部と、
当該第一のハトメ部に径方向の外周縁側が固定され、径方向の中央側に第一の係合部材装着部を有する第一の係合部材支持片と、
前記第一の係合部材装着部に配備される第一の係合部材と
を備えている第一の係合部品と、
衣服の生地に取り付けられる環状の第二のハトメ部と、
当該第二のハトメ部に径方向の外周縁側が固定され、径方向の中央側に第二の係合部材装着部を有する第二の係合部材支持片と、
前記第二の係合部材装着部に配備される第二の係合部材と
を備えている第二の係合部品と
からなり、
前記第一の係合部材と前記第二の係合部材との間の係脱により、前記第一のハトメ部が取り付けられている前記衣服の可撓性を有している生地と、前記第二のハトメ部が取り付けられている前記衣服の可撓性を有している生地との間の係脱を行うスナップファスナーであって、
前記第一の係合部材支持片と前記第二の係合部材支持片との中の少なくともどちらか一方が極薄板状又は布状の可撓性部材からなる
ことにより、前記第一の係合部材が配備されていて径方向の中央側に位置する前記第一の係合部材装着部と、径方向の外側に位置する前記第一のハトメ部との間に極薄板状又は布状の可撓性部材からなる前記第一の係合部材支持片が存在している及び／又は前記第二の係合部材が配備されていて径方向の中央側に位置する前記第二の係合部材装着部と、径方向の外側に位置する前記第二のハトメ部との間に極薄板状又は布状の可撓性部材からなる前記第二の係合部材支持片が存在し、
前記第一のハトメ部が取り付けられている前記衣服の可撓性を有している生地及び／又は前記第二のハトメ部が取り付けられている前記衣服の可撓性を有している生地の撓み、しなりに応じて、前記第一の係合部材支持片及び／又は前記第二の係合部材支持片が柔軟に、撓み、しなり変形する
ことを特徴とする衣服用のスナップファスナー。
【請求項２】
前記第一の係合部材又は前記第二の係合部材のいずれか一方が磁石体で、他方が当該磁石体に吸着される磁性吸着性を有する吸着部材であることを特徴とする請求項１記載の衣服用のスナップファスナー。
【請求項３】
前記第一の係合部材及び前記第二の係合部材はいずれも前記第一の係合部材支持片及び前記第二の係合部材支持片によって覆われていることを特徴とする請求項２記載の衣服用のスナップファスナー。
【請求項４】
前記第一の係合部材及び前記第二の係合部材はそれぞれ前記第一の係合部材支持片及び前記第二の係合部材支持片によって覆われているとともに、少なくとも、前記第一の係合部材と前記第二の係合部材とが互いに吸着する面はいずれも露出していることを特徴とする請求項３記載の衣服用のスナップファスナー。
【発明の詳細な説明】
【技術分野】
【０００１】
この発明は一対の雌部材と雄部材とからなり、衣服などの係着具として用いられるスナップファスナーに関する。
【背景技術】
【０００２】
一対の雌部材と雄部材とからなり、衣服などの係着具として用いられるスナップファスナーについては従来から種々の提案が行われている。例えば、以下のようなものが提案されている。
【０００３】
ブラウス等の衣服に糸で縫いつけて用いる形式のスナップファスナー（特許文献１）。係着具を構成する一対の雌部材と雄部材とのそれぞれを、いずれも、全体を合成樹脂製にしている。衣服の洗濯が繰り返されても錆が発生することがなく、合成樹脂からなる雌部材と雄部材との弾性変形によって、適度の結合力が得られ、長期にわたって安定した係合作用が得られるとしている。
【０００４】
一対の雌部材と雄部材とからなる係合具を当該係合部材が備えている弾発性を利用して衣服などの生地に取り付けるスナップファスナー（特許文献２）。
【０００５】
ハトメ孔を有するハトメと、そのハトメ孔を弾力的に閉塞する閉塞具とからなるスナップファスナー（特許文献３）。
【０００６】
人の指などが不用意に接触したときに外れることがなく、一方で、専用の開錠具を要することなしに“外す”意図があれば簡単に外すことができる、磁力利用のスナップファスナー（特許文献４）。
【先行技術文献】
【特許文献】
【０００７】
【特許文献１】実開昭６２−１６１８０８号公報
【特許文献２】特開平１１−３２８１５号公報
【特許文献３】特開２００６−８１６７８号公報
【特許文献４】特開２０１３−２２０６３号公報
【発明の開示】
【発明が解決しようとする課題】
【０００８】
スナップファスナーが用いられることのある衣服の生地は可撓性を有している。そこで撓み、しなり、等の柔軟な変形をすることがある。また、衣服の前身頃にスナップファスナーが用いられている場合、衣服を身に着けている間や、衣服を着脱する際に引っ張り力が当該スナップファスナーに加えられることがある。
【０００９】
従来のスナップファスナーの場合、たとえ弾性変形可能な部材からなるスナップファスナーであっても、その弾性力は、雌部材と雄部材との間の結合や、衣服などへの安定した取り付け、等の目的で採用されているものでしかなかった。
【００１０】
可撓性を有している生地からなる衣服の係合具（スナップファスナー）として使用されたときに、生地の撓み、しなり、等の柔軟な変形や、衣服着脱の際の引っ張り力などに柔軟に対応できる係合具（スナップファスナー）は、従来、提案されていなかった。
【００１１】
この発明は、可撓性を有している生地からなる衣服の係合具（スナップファスナー）として使用されたときに、生地の撓み、しなり、等の柔軟な変形や、衣服着脱の際の引っ張り力などに柔軟に対応することのできる係合具（スナップファスナー）を提案することを目的にしている。
【課題を解決するための手段】
【００１２】
衣服の生地に取り付けられる環状の第一のハトメ部と、
当該第一のハトメ部に径方向の外周縁側が固定され、径方向の中央側に第一の係合部材装着部を有する第一の係合部材支持片と、
前記第一の係合部材装着部に配備される第一の係合部材と
を備えている第一の係合部品と、
衣服の生地に取り付けられる環状の第二のハトメ部と、
当該第二のハトメ部に径方向の外周縁側が固定され、径方向の中央側に第二の係合部材装着部を有する第二の係合部材支持片と、
前記第二の係合部材装着部に配備される第二の係合部材と
を備えている第二の係合部品と
からなり、
前記第一の係合部材と前記第二の係合部材との間の係脱により、前記第一のハトメ部が取り付けられている前記衣服の可撓性を有している生地と、前記第二のハトメ部が取り付けられている前記衣服の可撓性を有している生地との間の係脱を行うスナップファスナーであって、
前記第一の係合部材支持片と前記第二の係合部材支持片との中の少なくともどちらか一方が極薄板状又は布状の可撓性部材からなる
ことにより、前記第一の係合部材が配備されていて径方向の中央側に位置する前記第一の係合部材装着部と、径方向の外側に位置する前記第一のハトメ部との間に極薄板状又は布状の可撓性部材からなる前記第一の係合部材支持片が存在している及び／又は前記第二の係合部材が配備されていて径方向の中央側に位置する前記第二の係合部材装着部と、径方向の外側に位置する前記第二のハトメ部との間に極薄板状又は布状の可撓性部材からなる前記第二の係合部材支持片が存在し、
前記第一のハトメ部が取り付けられている前記衣服の可撓性を有している生地及び／又は前記第二のハトメ部が取り付けられている前記衣服の可撓性を有している生地の撓み、しなりに応じて、前記第一の係合部材支持片及び／又は前記第二の係合部材支持片が柔軟に、撓み、しなり変形する
ことを特徴とする衣服用のスナップファスナー
である。
【発明の効果】
【００１３】
この発明によれば、可撓性を有している生地からなる衣服の係合具（スナップファスナー）として使用されたときに、生地の撓み、しなり、等の柔軟な変形や、衣服着脱の際の引っ張り力などに柔軟に対応することのできる係合具（スナップファスナー）を提供することができる。
【図面の簡単な説明】
【００１４】
【図１】この発明の一実施形態の、一部を省略し、一部を断面して表した図であって、（ａ）衣服の生地に環状の第一のハトメ部と、環状の第二のハトメ部とがそれぞれ取り付けられている状態、（ｂ）環状の第一のハトメ部と、環状の第二のハトメ部とに、それぞれ、第一の係合部材支持片と、第二の係合部材支持片とが取り付けられている状態、（ｃ）第一の係合部材支持片の第一の係合部材装着部に第一の係合部材が配備され、第二の係合部材支持片の第二の係合部材装着部に第二の係合部材が配備されている状態、（ｄ）第一の係合部品と第二の係合部品とが互いに吸着し、係合している状態を表す図である。
【図２】図１図示の実施形態のスナップファスナーが、図１の図面上で、上下が逆になって吸着、係合する実施形態を説明する、一部を省略し、一部を断面して表した図であって、（ａ）〜（ｄ）は、それぞれ、図１の（ａ）〜（ｄ）の状態に対応している状態を表す図である。
【図３】この発明の他の実施形態の、一部を省略し、一部を断面して表した図であって、（ａ）衣服の生地に環状の第一のハトメ部と、環状の第二のハトメ部とがそれぞれ取り付けられている状態、（ｂ）第一の係合部材支持片の第一の係合部材装着部に第一の係合部材が配備され、第二の係合部材支持片の第二の係合部材装着部に第二の係合部材が配備されている状態、（ｃ）第一の係合部品と第二の係合部品とが互いに吸着し、係合している状態を表す図である。
【発明を実施するための形態】
【００１５】
この実施形態の衣服用のスナップファスナーは、第一の係合部品１と、第二の係合部品２１とからで構成され、両者の間で係合が行われるものである（図１（ｃ）、（ｄ）、図２（ｃ）、（ｄ）、図３（ｂ）、（ｃ））。この実施の形態では、両者の間に働く磁力によって互いに吸着、係合している。
【００１６】
図１図示の実施形態では、第一の係合部品１は、第一のハトメ部２（図１（ａ））と、第一の係合部材支持片３（図１（ｂ））と、第一の係合部材９（図１（ｃ））とを備えている。一方、第二の係合部品２１は、第二のハトメ部２２（図１（ａ））と、第二の係合部材支持片２３（図１（ｂ））と、第二の係合部材２９（図１（ｃ））とを備えている。
【００１７】
第一のハトメ部２は平面視で環状で、衣服の生地４１に取り付けられる。図１（ａ）図示の実施形態では、衣服の生地４１に孔４３が形成されており、環状の第一のハトメ部２が孔４３の内周縁に取り付けられている。
【００１８】
第二のハトメ部２２も平面視で環状で、衣服の生地４２に取り付けられる。図１（ａ）図示の実施形態では、衣服の生地４２に孔４４が形成されており、環状の第二のハトメ部２２が孔４４の内周縁に取り付けられている。
【００１９】
ハトメは、衣服や靴などの紐を通す丸い孔の内周縁を補強する目的で従来から使用されている。例えば、金属製の平面視で環状のハトメが従来から使用されている。
【００２０】
第一のハトメ部２、第二のハトメ部２２は、従来から使用されている上述のハトメと同じく、衣服の生地４１、４２の孔４３、４４の内周縁を補強するものである。そして、この実施形態では、同時に、第一の係合部材支持片３、第二の係合部材支持片２３の外周縁側が取り付けられる取付け支持部としての役割を果たしている。
【００２１】
第一のハトメ部２、第二のハトメ部２２は、このような機能を果たし得るものであれば、種々の部材から構成することができる。例えば、アルミニューム、真鍮、チタンなどの金属製、あるいは、ナイロンなどの合成樹脂製にすることができる。
【００２２】
衣服の生地４１、４２の孔４３、４４の内周縁への第一のハトメ部２、第二のハトメ部２２の取り付けは、例えば、従来のハトメと同様に、第一のハトメ部２、第二のハトメ部２２をカシメることによって行うことができる。
【００２３】
第一の係合部材支持片３、第二の係合部材支持片２３は、それぞれの外周縁が、平面視で環状の第一のハトメ部２、第一のハトメ部２２に固定されることから、平面視で円板状である。
【００２４】
この実施の形態では、第一の係合部材支持片３、第二の係合部材支持片２３は、いずれも、可撓性を有する部材から形成されている。例えば、自由に撓み変形、しなり変形することのできる、シリコンゴム製、合成樹脂製などの、極薄板状あるいは布状の部材から構成されている。
【００２５】
この実施形態では、第一の係合部材支持片３の外周縁に、内径側の部分より肉厚な取付け部４が形成されている。同様に、第二の係合部材支持片２３の外周縁に、内径側の部分より肉厚な取付け部２４が形成されている。
【００２６】
この実施形態では、第一のハトメ部２が、第一の係合部材支持片３の取付け部４に嵌め込まれるように組み合わされることにより、第一の係合部材支持片３の外周縁側が第一のハトメ部２に固定される。また、第二のハトメ部２２が、第二の係合部材支持片２３の取付け部２４に嵌め込まれるように組み合わされることにより、第二の係合部材支持片２３の外周縁側が第二のハトメ部２２に固定される。
【００２７】
この実施形態では、第一の係合部材支持片３の外周縁に形成されている肉厚な取付け部４は、取付け支持部となる第一のハトメ部２が嵌め込まれる段部を備えている。この段部に、第一のハトメ部２が嵌め込まれるように組み合わされることにより、第一の係合部材支持片３の外周縁側が第一のハトメ部２に固定される。
【００２８】
同様に、第二の係合部材支持片２３の外周縁に形成されている肉厚な取付け部２４は、取付け支持部となる第二のハトメ部２２が嵌め込まれる段部を備えている。この段部に、第二のハトメ部２２が嵌め込まれるように組み合わされることにより、第二の係合部材支持片２３の外周縁側が第二のハトメ部２２に固定される。
【００２９】
第一の係合部材支持片３、第二の係合部材支持片２３の外周縁が第一のハトメ部２、第一のハトメ部２２に固定される形態、構造は、図示し、上記に説明した形態、構造に限られない。
【００３０】
第一の係合部材支持片３、第二の係合部材支持片２３は、それぞれ、径方向の中央側に第一の係合部材装着部５、第二の係合部材装着部２５を備えている。
【００３１】
図示の実施形態では、第一の係合部材装着部５は内部に空間部７を有する袋状部６によって形成されている。同様に、第二の係合部材装着部２５は内部に空間部２７を有する袋状部２６によって形成されている。
【００３２】
第一の係合部材装着部５には第一の係合部材が配備されるようになっている。図示の実施形態では、磁力を有する部材、例えば、永久磁石からなる第一の係合部材９が配備されている。
【００３３】
第二の係合部材装着部２５には第二の係合部材が配備されるようになっている。図示の実施形態では、永久磁石からなる第一の係合部材９に吸着される磁性吸着性を有する吸着部材からなる第二の係合部材２９が配備されている。永久磁石からなる第一の係合部材９に吸着される磁性吸着性を有する吸着部材としては金属製、合成樹脂、合成ゴム製など、種々のものを採用できる。
【００３４】
図示の実施形態では、第一の係合部材装着部５を形成する袋状部６は内部の空間部７と連通する孔部８ａ、８ｂを袋状部６の径方向の中央側で、図１（ｂ）における上側と下側とに備えている。
【００３５】
また、第二の係合部材装着部２５を形成する袋状部２６は内部の空間部２７と連通する孔部２８ａ、２８ｂを袋状部２６の径方向の中央側で、図１（ｂ）における上側と下側とに備えている。
【００３６】
永久磁石からなる第一の係合部材９は、袋状部６の内部の空間部７に装入される本体部と、その本体部から、図１（ｃ）における上下にそれぞれ伸びて、第一の係合部材装着部５に配備された際に、孔部８ａ、８ｂを介して袋状部６の外部に表面が露出される凸部を備えている。
【００３７】
一方、図示の実施形態では、第二の係合部材２９は袋状部２６の内部の空間部２７に装入される形状、大きさになっている。
【００３８】
第一の係合部品１と、第二の係合部品２１とが接近すると、永久磁石からなる第一の係合部材９と、これに吸着される磁性吸着性を有する吸着部材からなる第二の係合部材２９との間の磁力による吸着が行われ、両者は、図１（ｄ）図示のように、互いに吸着し合い、係合が図られる。
【００３９】
図示の実施形態では、第一の係合部材装着部５を形成する袋状部６は孔部８ａ、８ｂを備えており、第一の係合部材９の凸部の表面が孔部８ａ、８ｂを介して袋状部６の外部に露出している。
【００４０】
また、第二の係合部材装着部２５を形成する袋状部２６は孔部２８ａ、２８ｂを備えている。
【００４１】
そこで、図１（ｄ）図示のように係合した際、永久磁石からなる第一の係合部材９の露出している表面９ａと、第二の係合部材２９の露出している表面２９ａとの間には他の部材が介在していない。このため、第一の係合部品１と、第二の係合部品２１とは強力に吸着、係合することができる。
【００４２】
この実施形態の第一の係合部品１、第二の係合部品２１を構成している第一の係合部材支持片３、第二の係合部材支持片２３は、いずれも、自由に撓み変形、しなり変形することのできる、可撓性を有する部材から形成されている。
【００４３】
第一の係合部品１を構成している第一の係合部材支持片３、第二の係合部品２１を構成している第二の係合部材支持片２３は、径方向の外側において、取付け部４、２４が、衣服の生地４１、４２に取り付けられている第一のハトメ部２、第二のハトメ部２２に固定されている。そして、径方向の中央側で、第一の係合部材９と、第二の係合部材２９との間の磁力によって互いに吸着し合い、係合する。
【００４４】
互いに吸着し合い、係合する、径方向の中央側と、第一のハトメ部２、第二のハトメ部２２に固定されている径方向の外周側との間は、図１（ｄ）図示のように、上述した可撓性を有する部材からなる第一の係合部材支持片３、第二の係合部材支持片２３における、極薄板状あるいは布状に形成されている部分になっている。すなわち、第一の係合部材支持片３における第一の係合部材装着部５と、第一のハトメ部２に固定されている径方向の外周側との間は、極薄板状あるいは布状に形成されている部分であって、撓みやすく、しなりやすい構造部分になっている。また、第二の係合部材支持片２３における第二の係合部材装着部２５と、第二のハトメ部２２に固定されている径方向の外周側との間も、極薄板状あるいは布状に形成されている部分であって、撓みやすく、しなりやすい構造部分になっている。
【００４５】
このように、撓みやすく、しなりやすい構造部分が、互いに吸着し合い、係合する径方向の中央側と、第一のハトメ部２、第二のハトメ部２２に固定されている径方向の外周側との間に存在していることになる。
【００４６】
これにより、可撓性を有している生地４１、４２からなる衣服の係合具（スナップファスナー）として本実施形態のスナップファスナーが使用されると、生地４１、４２の撓み、しなり、等の柔軟な変形や、衣服着脱の際の引っ張り力などに柔軟に対応することができる。
【００４７】
すなわち、第一の係合部材９と、第二の係合部材２９との間の磁力によって互いに吸着し合って係合している径方向で中央側の係合状態、係合力は維持されたまま、径方向の中央側と、径方向の外周側との間に存在している撓みやすく、しなりやすい構造部分が、衣服の生地４１、４２の撓み、しなり、両者の間の引っ張り力などに応じて、柔軟に、撓み、しなることができる。
【００４８】
そこで、可撓性を有している生地からなる衣服のスナップファスナーとして使用されたときに、生地の撓み、しなり、等の柔軟な変形や、衣服着脱の際の引っ張り力などに柔軟に対応することのできるスナップファスナーとなる。
【００４９】
なお、上述した実施形態では、第一の係合部品１、第二の係合部品２１を構成している第一の係合部材支持片３、第二の係合部材支持片２３のいずれをも、自由に撓み変形、しなり変形することのできる、可撓性を有する部材から形成していた。
【００５０】
これに替えて、第一の係合部品１を構成している第一の係合部材支持片３、第二の係合部品２１を構成している第二の係合部材支持片２３の中のどちらか一方を、可撓性を有していない部材で形成することもできる。
【００５１】
例えば、第一の係合部品１を構成している第一の係合部材支持片３、第二の係合部品２１を構成している第二の係合部材支持片２３の中のどちらか一方を、堅固な構造物や、多少の弾性を有する程度の合成樹脂製の構造物にするものである。
【００５２】
このようにしても、第一の係合部品１を構成している第一の係合部材支持片３、第二の係合部品２１を構成している第二の係合部材支持片２３の中の少なくともどちらか一方を、可撓性を有している部材で形成しておくことにより、上記で説明したように、可撓性を有している生地からなる衣服のスナップファスナーとして使用されたときに、生地の撓み、しなり、等の柔軟な変形や、衣服着脱の際の引っ張り力などに柔軟に対応することのできるスナップファスナーを提供することができる。
【００５３】
上述した、第一の係合部品１、第二の係合部品２１を構成している第一の係合部材支持片３、第二の係合部材支持片２３のいずれとも自由に撓み変形、しなり変形することのできる、可撓性を有する部材から形成すると、第一の係合部品１、第二の係合部品２１を構成する部材、材料の共通化を図る上で有利である。
【００５４】
また、上述した実施形態では、第一の係合部材９を、磁力を有する部材（この実施形態では、永久磁石）とし、第二の係合部材２９を、第一の係合部材９に吸着される磁性吸着性を有する吸着部材としていた。両者を替えて、第二の係合部材２９を磁力を有する部材（例えば、永久磁石）とし、第一の係合部材９を、第二の係合部材２９に吸着される磁性吸着性を有する吸着部材とすることもできる。
【００５５】
図２は、図１に図示し、上述してきた実施形態のスナップファスナーが、図１の図面上で、上下が逆になって吸着、係合する実施形態を説明するものである。図２（ａ）〜（ｄ）が、それぞれ、図１（ａ）〜（ｄ）図示の状態に対応している。そこで、図１に図示し、上述してきた実施形態のスナップファスナーと共通する構造・部材については、図１と共通する符号を付して、その説明を省略する。
【００５６】
図１、図２に図示したように、本実施形態のスナップファスナーは、図１に図示し、上述してきた実施形態と、図１の図面上で、上下を逆にしても使用することができるものである。
【００５７】
そこで、例えば、衣服の前身頃がメンズと、レディスのように、合わせが逆になっても対応することができ、いわゆるユニセックス商品を提供する際に有用なスナップファスナーになる。
【００５８】
上述した図１、図２図示の実施形態では、第一の係合部材装着部５を形成する袋状部６は孔部８ａ、８ｂを備えており、第二の係合部材装着部２５を形成する袋状部２６は孔部２８ａ、２８ｂを備えていた。
【００５９】
第一の係合部材装着部５を形成する袋状部６、第二の係合部材装着部２５を形成する袋状部２６がこのような孔部８ａ、８ｂ、２８ａ、２８ｂを備えていない実施形態にすることもできる。図３は、そのような実施形態の一例を説明するものである。
【００６０】
図１、図２図示の実施形態において、孔部８ａ、８ｂ、２８ａ、２８ｂが形成されていた箇所は、符号６ａ、６ｂ、２６ａ、２６ｂで示しているように、袋状部６、２６を形成している部材によって閉鎖されている。すなわち、第一の係合部材９及び第二の係合部材２９はいずれも第一の係合部材支持片３及び第二の係合部材支持片２３によって覆われている構造になっている。
【００６１】
この点以外は、図１、図２図示の実施形態と共通しているので、図１に図示し、上述してきた実施形態のスナップファスナーと共通する構造・部材については、図１と共通する符号を付して、その説明を省略する。
【００６２】
図３図示の実施形態では、第一の係合部品１と、第二の係合部品２１とが接近し、永久磁石からなる第一の係合部材９と、これに吸着される磁性吸着性を有する吸着部材からなる第二の係合部材２９との間の磁力によって、第一の係合部品１と、第二の係合部品２１とが互いに吸着し合い、係合すると図３（ｃ）図示の状態になる。
【００６３】
すなわち、永久磁石からなる第一の係合部材９の表面９ａと、第二の係合部材２９の表面２９ａとの間には符号６ａ、２６ａで示している、袋状部６、２６を形成している部材が介在することになる。
【００６４】
このようになっても、永久磁石からなる第一の係合部材９の表面９ａと、第二の係合部材２９の表面２９ａとの間の磁力による吸着力が十分であれば、衣服用のスナップファスナーとしての使用に支障は生じない。
【００６５】
第一の係合部材９、第二の係合部材２９として金属製の部材が使用されている場合には、図３図示のように、第一の係合部材９及び第二の係合部材２９がいずれも第一の係合部材支持片３及び第二の係合部材支持片２３によって覆われている構造にしておくと錆の発生を防止できるので有利である。
【００６６】
なお、第一の係合部材装着部５を形成する袋状部６、第二の係合部材装着部２５を形成する袋状部２６がそれぞれ孔部８ａ、８ｂ、２８ａ、２８ｂを備えている構造に替えて、第一の係合部材装着部５を形成する袋状部６が孔部８ａだけを備えていて、一方、第二の係合部材装着部２５を形成する袋状部２６が孔部２８ａだけを備えている構造や、第一の係合部材装着部５を形成する袋状部６が孔部８ｂだけを備えていて、一方、第二の係合部材装着部２５を形成する袋状部２６が孔部２８ｂだけを備えている構造などにすることもできる。
【００６７】
以上、添付図面を参照して本発明の好ましい実施形態を説明したが、本発明は係る実施形態に限定されるものではなく、特許請求の範囲の記載から把握される技術的範囲において種々に変更可能である。
【符号の説明】
【００６８】
１    第一の係合部品
２    第一のハトメ部
３    第一の係合部材支持片
５    第一の係合部材装着部
６    第一の係合部材装着部の袋状部
７    第一の係合部材装着部の内部空間部
８ａ、８ｂ  孔部
９    第一の係合部材
２１  第二の係合部品
２２  第二のハトメ部
２３  第二の係合部材支持片
２５  第二の係合部材装着部
２７  第二の係合部材装着部の内部空間部
２６  第二の係合部材装着部の袋状部
２８ａ、２８ｂ孔部
２９  第二の係合部材
４１、４２  衣服の生地
４３、４４  衣服の生地の孔
【要約】
【課題】可撓性を有している生地からなる衣服に使用されたときに、生地の撓み、しなり、等の柔軟な変形や、衣服着脱の際の引っ張り力などに柔軟に対応できるスナップファスナー。
【解決手段】衣服の生地に取り付けられる環状の第一のハトメ部と、第一のハトメ部に外周縁側が固定され、径方向の中央側に第一の係合部材装着部を有する第一の係合部材支持片と、第一の係合部材装着部に配備される第一の係合部材とを備えている第一の係合部品と、衣服の生地に取り付けられる環状の第二のハトメ部と、第二のハトメ部に外周縁側が固定され、径方向の中央側に第二の係合部材装着部を有する第二の係合部材支持片と、第二の係合部材装着部に配備される第二の係合部材とを備えている第二の係合部品とからなる。第一の係合部材支持片と第二の係合部材支持片との中の少なくともどちらか一方が可撓性部材からなる衣服用のスナップファスナー。
【選択図】図１【図１】
0006035476.tif 000002
【図２】
0006035476.tif 000003
【図３】
0006035476.tif 000004